【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
環境内のユーザに情報を与えるデバイスであって、
プロセッサと、
通知出力と、
命令を格納するメモリであって、前記命令が、前記プロセッサによって実行されると、
前記環境内の前記ユーザの活動をモニタすることと、
前記環境内の前記ユーザの前記活動を識別することと、
前記ユーザの前記活動内で、前記ユーザの前記活動を中断させることなく、前記ユーザに前記情報を通知する通知機会を示すイベントを決定することと、
前記ユーザの前記活動内で、前記通知機会を示すイベントの実例を検出することと、
前記イベントの実例の間に、前記通知出力を通じて、情報の通知を前記ユーザに提示することと、
を前記デバイスに行わせる、メモリと、
を含む、デバイス。
【請求項２】
前記ユーザの前記活動が、前記ユーザと個人との間の会話をさらに含み、
前記通知機会を識別することが、前記会話の間に、前記ユーザの音声と前記個人の音声との間の一時停止を識別することをさらに含む、請求項１に記載のデバイス。
【請求項３】
前記ユーザの前記活動をモニタすることが、
前記デバイスのマイクロフォンによって検出された声と前記ユーザの声とを比較することと、
前記比較に基づいて、前記ユーザが個人との会話に参加しているかどうかを判断することと、
をさらに含む、請求項１に記載のデバイス。
【請求項４】
前記通知機会を識別することが、
前記ユーザの現在の活動の終了を識別することと、
前記ユーザの前記現在の活動の前記終了と前記ユーザの次の活動の開始との間の間隔を識別することと、
をさらに含む、請求項１に記載のデバイス。
【請求項５】
前記通知機会を識別することが、前記ユーザが前記デバイスと対話していることを検出することをさらに含む、請求項１に記載のデバイス。
【請求項６】
前記環境内の前記ユーザの活動をモニタすることは、前記ユーザのストレスレベルを評価することを含み、
前記通知機会を識別することは、前記ユーザのストレスレベルがストレスレベル閾値を下回る間隔を識別することを含む、請求項１に記載のデバイス。
【請求項７】
前記情報が、一定の時間内に前記ユーザに提示すべき時間的制約のある情報をさらに含み、
前記通知機会を識別することが、前記ユーザの前記活動を中断させることなく、前記情報を前記ユーザに通知するための前記一定の時間内の前記通知機会の識別に失敗することに応答して、前記時間的制約のある情報を提示するために前記ユーザの邪魔をすることをさらに含む、請求項１に記載のデバイス。
【請求項８】
前記通知機会を識別することが、前記ユーザが前記活動を実行しているという実例を検出することをさらに含む、請求項１に記載のデバイス。
【請求項９】
前記情報が、個人に関連し、
前記通知機会を識別することが、前記ユーザと前記個人との接触を検出することをさらに含む、請求項１に記載のデバイス。
【請求項１０】
プロセッサ及び通知出力を含むデバイスのユーザに情報を与えるシステムであって、
環境内の前記ユーザの活動をモニタする活動モニタと、
前記環境内の前記ユーザの前記活動に関連する情報を識別する情報セレクタと、
前記ユーザの前記活動内で、前記ユーザの前記活動を中断させることなく、前記ユーザに前記情報を通知するための通知機会を識別することと、
前記通知機会の間、前記通知出力を通じて、前記情報の通知を前記ユーザに提示することと、
を行う情報ノティファイヤと、
を含む、システム。
【請求項１１】
前記情報ノティファイヤが、前記ユーザに提示すべき情報アイテムの通知キューをさらに含み、
前記情報ノティファイヤが、前記情報セレクタによって識別された情報アイテムをキューにさらに追加し、
前記通知を前記ユーザに提示することが、前記通知機会の間に、前記通知キューから少なくとも２つの通知アイテムのバッチを前記ユーザに提示することをさらに含む、請求項１０に記載のシステム。
【請求項１２】
前記通知キューのそれぞれのキューに追加された情報アイテムが、情報アイテムタイプをさらに含み、
前記バッチを提示することが、前記通知キューの前記キューに追加された情報アイテムから、選択された情報アイテムタイプの少なくとも２つのキューに追加された情報アイテムを選択することをさらに含む、請求項１１に記載のシステム。
【請求項１３】
前記通知キューのそれぞれのキューに追加された情報アイテムが、前記ユーザが実行可能な活動にさらに関連し、
前記バッチを提示することが、前記通知キューの前記キューに追加された情報アイテムから、前記ユーザの現在の活動に関連する少なくとも２つのキューに追加された情報アイテムを選択することをさらに含む、請求項１１に記載のシステム。
【請求項１４】
それぞれのキューに追加された情報アイテムが、通知持続時間をさらに含み、前記通知機会を識別することが、
通知機会持続時間を見積もることと、
前記通知キューの前記キューに追加された情報アイテムから、前記通知機会持続時間内の組み合わされた通知持続時間を提示する少なくとも２つのアイテムのバッチを選択することと、
をさらに含む、請求項１１に記載のシステム。
【請求項１５】
少なくともいくつかのキューに追加された情報アイテムが、前記ユーザのユーザ入力にさらに関与し、
前記通知機会を識別することが、対話型通知機会及び非対話型通知機会を含む通知機会タイプセットに従って前記通知機会を分類することをさらに含み、
前記バッチを提示することが、非対話型通知機会として前記通知機会を分類することを条件として、前記バッチから、前記ユーザのユーザ入力にさらに関与するキューに追加された情報アイテムの通知を除外することをさらに含む、請求項１１に記載のシステム。
【請求項１６】
前記通知キューのそれぞれのキューに追加された情報アイテムが、情報優先度とさらに関連付けられ、
前記バッチを提示することが、前記通知キューの前記キューに追加された情報アイテムから、前記通知キューの前記キューに追加された情報アイテムの中で最も高い情報優先度を有するキューに追加された情報アイテムを選択することをさらに含む、請求項１１に記載のシステム。
【請求項１７】
プロセッサと通知出力とを備えるデバイスに、環境内のユーザに通知させる方法であって、前記方法は、
前記環境内の前記ユーザの活動をモニタすることと、
前記環境内の前記ユーザの前記活動に関連する情報を識別することと、
前記ユーザの前記活動内で、前記ユーザの前記活動を中断させることなく、前記ユーザに前記情報を通知する通知機会を示すイベントを決定することと、
前記ユーザの前記活動内で、前記通知機会を示すイベントの実例を検出することと、
前記イベントの間に、前記通知出力を通じて、情報の通知を前記ユーザに提示することと、
を前記デバイスに実行させる命令を前記プロセッサにより実行することを含む、方法。
【請求項１８】
前記通知機会を識別することは、前記ユーザが通知を受信できるかどうかを前記ユーザに尋ねることと、前記通知の受信の承認を前記ユーザから受信することとを含む、請求項１７に記載の方法。
【請求項１９】
前記命令を実行することは、情報アイテムの肯定的な選択を前記ユーザから受信することを条件として、前記デバイスに、前記通知出力を通じて、前記情報アイテムについての捕捉情報を前記ユーザに提示させることを更に含む、請求項１７に記載の方法。
【請求項２０】
前記命令を実行することは、選択された情報アイテムの拒絶を前記ユーザから受信することを条件として、前記デバイスに、選択されたアイテムの同じ情報アイテムタイプの情報アイテムの提示を控えさせることを更に含む、請求項１７に記載の方法。